(57)【要約】【課題】ジャガイモや玉葱やビート等の収穫作業に用いるハーベスタにおいて、板状の芋落下防止部材を配設し、コンベア移動時にはこれを上昇させ、コンベア停止時にはこれを下降させることにより、コンベア停止時にロッド式コンベアから根菜類が滑落するのを防止できるようにしたハーベスタの落下防止装置を提供すること。【解決手段】掘取刃２の後方に、簀の子状にロッド６を取り付けたロッド式コンベア３が傾斜させて配設されているハーベスタ１において、ロッド式コンベアの任意位置の上方に、上下動が可能な板状の芋落下防止材９がロッド式コンベアの進行方向に対して直交するように配設されているとともに、板状の芋落下防止材は、ロッド式コンベアが作動時には上昇して退避位置に移動し、ロッド式コンベアが停止時には下降して落下防止位置に移動するように構成した。【選択図】        図１
2010094069.tif 000002
【特許請求の範囲】
【請求項１】
掘取刃の後方に、簀の子状にロッドを取り付けたロッド式コンベアが傾斜させて配設されているハーベスタにおいて、
前記ロッド式コンベアの任意位置の上方に、上下動が可能な板状の芋落下防止材が前記ロッド式コンベアの進行方向に対して直交するように配設されているとともに、
前記板状の芋落下防止材は、前記ロッド式コンベアが作動時には上昇して退避位置に移動し、前記ロッド式コンベアが停止時には下降して落下防止位置に移動するように構成されていることを特徴とするハーベスタの落下防止装置。
【請求項２】
前記芋落下防止材は上側は硬質材料で、下側は可撓性材料で形成されているとともに、下側の可撓性材料は上下方向の長さが１０〜２５ｃｍであり、
前記芋落下防止材が上昇して退避位置にある時には、前記芋落下防止材の前記可撓性材料の下端と前記ロッド式コンベアのロッド上面との距離が１５〜２５ｃｍであり、
前記芋落下防止材が下降して落下防止位置にある時には、前記可撓性材料は上下方向の長さの１／４〜３／４の部分が、前記ロッド式コンベアのロッド上面に接触して折れ曲がるように構成されている請求項１に記載のハーベスタの落下防止装置。
【発明の詳細な説明】
【技術分野】
【０００１】
本発明は、ジャガイモや玉葱やビート等の根菜類の収穫に用いるハーベスタに関するものであり、特に傾斜して配設されているロッド式コンベア上にある収穫された根菜類等が、ロッド式コンベア停止時に落下するのを防ぐようにしたハーベスタの落下防止装置に関するものである。
【背景技術】
【０００２】
ハーベスタではジャガイモなどの根菜類を掘取刃で掘り起こし、掘り起こした根菜類を掘取刃の後方に設けたロッド式コンベアで土をふるい落としながら斜め上方へ移送しホッパー等に積み込むようにしている。
【０００３】
通常、ロッド式コンベアは斜めに設置されているため、傾斜が急な場合や土の湿り具合によっては移送中にコンベアが停止すると、移送途中にあるロッド式コンベア上の根菜類が根菜類に付着している土とともに落下してしまうことがある。
【０００４】
ところで、傾斜して設けたベルトコンベアが停止した場合に移送物の落下を防ぐために例えば特許文献１に示すように、短冊状の可撓板をベルト上方から下端がベルトの表面に可撓自在に密接するように懸吊した落石防止装置がある。
【特許文献１】実用新案登録第２５６６０８４号公報
【発明の開示】
【発明が解決しようとする課題】
【０００５】
しかし、特許文献１に示されるような可撓板をハーベスタの傾斜して配置したロッド式コンベアの上に設置すると、確かにコンベア停止時の根菜類の落下防止には役立つが、コンベア作動時にはこの可撓板がコンベア上の根菜類の移動を妨げ、根菜類が可撓板を通過できない事態となる。
【０００６】
ベルトコンベアの場合は、ベルトによる抵抗も大きいのでその上の物は可撓板の抵抗に打ち勝って可撓板を押しのけるようにして通過できる。しかし、ロッド式コンベアの場合はその上を移動してきた根菜類は、根菜類が可撓板に当接すると、ロッドが根菜類を移動させる力よりも可撓板が根菜類の移動を邪魔する力の方が大きく、結果として根菜類がロッドの上を滑ってしまい、ロッドのみが可撓板を通過し、根菜類は可撓板により移動を停止されてしまうのである。
【０００７】
特に、湿った土が根菜類に多く付着している場合には全体の重量が重いため、可撓板を押しのけるためにもそれだけ強い力が必要となるため、根菜類が可撓板に当たると可撓板の抵抗により根菜類がロッドの上を滑り易くなり、根菜類が可撓板を押しのけて移動できない事態が発生し易い。
【０００８】
本発明は、かかる事情に鑑みてなされたものであり、その目的とするところは、ジャガイモやさつまいも等の収穫作業に用いるハーベスタにおいて、板状の芋落下防止部材を配設し、コンベア作動時にはこれを上昇させ、コンベア停止時にはこれを下降させることにより、コンベア停止時にロッド式コンベア上から根菜類が滑落するのを防止することができるようにしたハーベスタの落下防止装置を提供することにある。
【課題を解決するための手段】
【０００９】
上記目的を達成するために、本発明によるハーベスタの落下防止装置は、掘取刃の後方に、簀の子状にロッドを取り付けたロッド式コンベアが傾斜させて配設されているハーベスタにおいて、前記ロッド式コンベアの任意位置の上方に、上下動が可能な板状の芋落下防止材が前記ロッド式コンベアの進行方向に対して直交するように配設されているとともに、前記板状の芋落下防止材は、前記ロッド式コンベアが作動時には上昇して退避位置に移動し、前記ロッド式コンベアが停止時には下降して落下防止位置に移動するように構成されている。
【００１０】
また、上記発明に加え、前記芋落下防止材は上側は硬質材料で、下側は可撓性材料で形成されているとともに、下側の可撓性材料は上下方向の長さが１０〜２５ｃｍであり、前記芋落下防止材が上昇して退避位置にある時には、前記芋落下防止材の前記可撓性材料の下端と前記ロッド式コンベアのロッド上面との距離が１５〜２５ｃｍであり、前記芋落下防止材が下降して落下防止位置にある時には、前記可撓性材料は上下方向の長さの１／４〜３／４の部分が、前記ロッド式コンベアのロッド上面に接触して折れ曲がるように構成されている。
【発明の効果】
【００１１】
本発明によれば、ロッド式コンベアの上方に設けた板状の芋落下防止部材は、コンベア作動時には上昇させて退避位置に移動することによりロッド式コンベア上の根菜類の移動の妨げとならず、またコンベア停止時には下降させて落下防止位置に移動することによりロッド式コンベア上の根菜類の落下を防止することが可能となる。
【発明を実施するための最良の形態】
【００１２】
先ず、本発明のハーベスタの落下防止装置の概略と作用について説明する。
本発明によるハーベスタの落下防止装置は、掘取刃の後方に、簀の子状にロッドを取り付けたロッド式コンベアが傾斜させて配設されている。そしてロッド式コンベアの任意位置の上方に、上下動が可能な板状の芋落下防止材がロッド式コンベアの進行方向に対して直交するように配設されているとともに、板状の芋落下防止材は、ロッド式コンベアが作動時には上昇して退避位置に移動し、ロッド式コンベアが停止時には下降して落下防止位置に移動するように構成されている。
【００１３】
板状の芋落下防止材はコンベアが作動時には上昇させて退避位置に位置させることにより、ロッド上の根菜類の移動を妨げることがない。一方、コンベア停止時には板状の芋落下防止材は下降させて落下防止位置に位置させることにより、根菜類がロッドの上を滑落することを防止することになる。
【００１４】
また、芋落下防止材は上側は硬質材料で、下側は可撓性材料で形成されている。下側の可撓性材料は上下方向の長さが１０〜２５ｃｍであり、芋落下防止材が上昇して退避位置にある時には、芋落下防止材の可撓性材料の下端とロッド式コンベアのロッド上面との距離が１５〜２５ｃｍとなるように構成されている。一方、芋落下防止材が下降して落下防止位置にある時には、可撓性材料は上下方向の長さの１／４〜３／４の部分が、ロッド式コンベアのロッド上面に接触して折れ曲がるように構成されている。
【００１５】
板状の芋落下防止材は上側を硬質材料とし下側を可撓性材料とすることにより、下側は自由に変形するとともに、上側は落下防止材としての機能を確実に発揮する。すなわち、芋落下防止材とロッド上面との距離を適切に設定することにより、退避位置にある時には可撓性材料は根菜類に多少接触してもその移動を邪魔することなく、また落下防止位置にある時には根菜類が落下することを確実に防止する。
なお、退避位置から落下防止位置へ落下防止材が短時間で移動するようにするためには、根菜類等の移動を邪魔しない限度において、落下防止材はロッドコンベアに近いことが望ましい。
【００１６】
また、芋落下防止材の下側はゴム製であるとともに、幅方向に短冊状となるように適宜箇所に上下方向に切れ目が形成されている。ゴムの厚みと短冊の幅を適宜選択し、また退避位置を調節することにより、コンベア作動時には短冊状のゴムが部分的には移動してくる根菜類等に接触しても、全体としては芋落下防止材が根菜類の移動を邪魔せず、またコンベア停止時にはロッド上面のそのときの根菜類や土砂の形状に対応して短冊状のゴムが変形して確実に接触し、根菜類の落下防止をより確実なものとしている。
【実施例】
【００１７】
本発明のハーベスタの落下防止装置の一実施例を図１乃至図３に基づいて述べる。図１は本発明のハーベスタの落下防止装置の斜視図である。図２は図１の落下防止装置箇所の正面図である。図３は図２の側面図であり、（Ａ）は芋落下防止材を下降させた状態、（Ｂ）は芋落下防止材を上昇させた状態を示す。
【００１８】
ハーベスタ１は、掘取刃２とその後方に傾斜させて設けたエンドレスのロッド式コンベア３とホッパー（図示せず）より構成されている。ロッド式コンベア３は、左右の側壁４に沿わしてそれぞれ配置したベルトコンベア５と、その左右のベルトコンベア５の間にベルトコンベア５の進行方向に対して直角の向きに間隙を設けて簀の子状に配設したロッド６より構成されている。各ロッド６の両端はそれぞれ左右のベルトコンベア５に対して、固定金具となる２本のボルト７で固定されている。左右のベルトコンベア５は、駆動源（図示せず）により同期して回転するようになっている。そしてロッド式コンベア３は、ベルトコンベア５の回転によりロッド６がエンドレスに回転するようになっている。
【００１９】
ロッド式コンベア３の上方には落下防止装置８が配設されている。落下防止装置８は、ロッド式コンベア３の進行方向に対して直交するように設けられた板状の芋落下防止材９と、芋落下防止材９を上下動させる油圧シリンダ１０と、芋落下防止材９の両端が挿入され芋落下防止材９の上下動をガイドするために左右の側壁４に配設されている案内部材１１及び油圧シリンダ１０の動きを制御する制御装置（図示せず）より構成されている。落下防止装置８は図示した例ではロッド式コンベア３の上に１箇所だけ設けた例を示したが、落下防止装置８を設ける箇所と数は、ロッド式コンベア３の長さや傾斜角度に応じて適宜設定可能である。
【００２０】
芋落下防止材９は、上側の硬質材料１２と、下側の可撓性材料１３の２部材により板状に形成されている。上側の硬質材料１２としては、例えば鉄やアルミニウム等の金属製材料や合成樹脂製材料が使用可能である。下側の可撓性材料１３は例えばゴム製とし、短冊状に幅方向に適宜箇所に上下方向に切れ目が形成されている。可撓性材料１３は上下方向の長さを１０〜２５ｃｍとするが、ジャガイモを対象とする場合は１５〜２０ｃｍの範囲がよい。収穫する農作物により可撓性材料１３の長さや材質等を変更できるように、硬質材料１２に対して可撓性材料１３を交換可能に取り付けておいてもよい。
【００２１】
上側の硬質材料１２の両端部は、左右の側壁４に対向させて配設されている断面凹状の案内部材１１に摺動可能に挿入されている。硬質材料１２の上端部の中央には油圧シリンダ１０のピストンロッド１４の下端が連結されており、油圧シリンダ１０の上端はハーベスタ１の図示しない任意箇所に固定されている。
【００２２】
そして、油圧シリンダ１０はロッド式コンベア３の作動と連動し、制御装置によりロッド式コンベア３の作動時にはピストンロッド１４は縮んで芋落下防止材９はロッド式コンベア３の上側のロッド６に対して遠ざかるように上昇して退避位置に移動され、ロッド式コンベア３の停止時にはピストンロッド１４は伸びて芋落下防止材９はロッド式コンベア３の上側のロッド６に対して近づく方向に降下して落下防止位置に移動されるように制御される。
【００２３】
芋落下防止材９が上昇して退避位置にある時には、芋落下防止材９の可撓性材料１３の下端とロッド式コンベア３のロッド６上面との距離は１５〜２５ｃｍとなるように構成されている。なお、ジャガイモを対象とする場合は１５〜２０ｃｍがよい。収穫する農作物や土の湿り気具合により、この間隔を調節できるようにしておいてもよい。
【００２４】
一方、芋落下防止材９が下降して落下防止位置にある時には、可撓性材料１３は上下方向の長さの１／４〜３／４の部分が、ロッド式コンベア３のロッド６上面に接触して折れ曲がるように構成されている。可撓性材料１３の長さや材質や、収穫する農作物や土の湿り気具合により、可撓性材料１３がロッド６上面に接触して折れ曲がる長さを調節できるようにしておいてもよい。
【００２５】
なお、上記した実施例では芋落下防止材９の上下動を油圧シリンダ１０により行うものを示したが、芋落下防止材９の上下動は本実施例で示した油圧シリンダ１０に限定されるものではなく、その他のいかなる駆動方法でもよく、何れにしてもロッド式コンベア３の作動に連動して芋落下防止材９が上下動されるように構成されていればよい。
【００２６】
しかして、圃場を本発明の落下防止装置８が配設されたハーベスタ１をトラクタによって牽引する（あるいは自走式の場合は自走する）と、掘取刃２により肥土とともに例えばジャガイモ等の根菜類が肥土層から掘り取られ、ロッド式コンベア３のロッド６の上に移送されてくる。
【００２７】
ロッド式コンベア３はベルトコンベア５の回転により、そのロッド６が後方へ移動するように回転する。したがって、掘取刃２からロッド式コンベア３に移ったジャガイモ等の根菜類は土とともにロッド６の上を適当に振動し、あるいは転がりながらホッパーがある後方へ移動する。この移動時の振動等により土は簀の子状に配してあるロッド６の隙間から落下し、圃場へ戻る。
【００２８】
また、ロッド式コンベア３の作動時には図３（Ｂ）に示すように、油圧シリンダ１０のピストンロッド１４が制御装置により縮められ、落下防止装置８の芋落下防止材９は上昇して退避位置に移動される。芋落下防止材９は退避位置に移動することにより、ロッド式コンベア３のロッド６の上を移動してくる根菜類の移動を邪魔することはない。
【００２９】
そして、ロッド式コンベア３が停止すると図３（Ａ）に示すように、油圧シリンダ１０のピストンロッド１４が制御装置により伸ばされ、落下防止装置８の芋落下防止材９は下降して落下防止位置に移動される。この落下防止位置とは、可撓性材料１３の上下方向の長さの１／４〜３／４の部分が、ロッド式コンベア３のロッド６上面に接触して折れ曲がるような状態をいう。可撓性材料１３の上下方向の長さのうちどの程度をロッド６上面に接触するようにするかは、そのときの根菜類の大きさや土の湿り具合や、あるいはロッド式コンベア３の傾斜角度等により適宜選択可能である。
芋落下防止材９が落下防止位置へ移動することにより、ロッド６上の根菜類は可撓性材料１３によりロッド式コンベア３上を落下するのが防止されることになる。
【図面の簡単な説明】
【００３０】
【図１】本発明のハーベスタの落下防止装置の斜視図である。
【図２】図１の落下防止装置箇所の正面図である。
【図３】図２の側面図であり、（Ａ）は芋落下防止材を下降させた状態、（Ｂ）は芋落下防止材を上昇させた状態を示す。
【符号の説明】
【００３１】
１  ハーベスタ
２  掘取刃
３  ロッド式コンベア
４  側壁
５  ベルトコンベア
６  ロッド
７  ボルト
８  落下防止装置
９  芋落下防止材
１０  油圧シリンダ
１１  案内部材
１２  硬質材料
１３  可撓性材料
１４  ピストンロッド
【図１】
2010094069.tif 000003
【図２】
2010094069.tif 000004
【図３】
2010094069.tif 000005